【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
折り畳みラベルが付着された物品である折り畳みラベル付き物品の製造方法であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れ、
前記折り畳みラベルにおいて、前記第１のシート片に、前記第１のシート片を前記はみ出し部分の側と前記第１の折り曲げ線の側とに分断するための１本又は複数本のミシン目が形成され、
前記折り畳みラベル付き物品は、前記折り畳みラベルの前記はみ出し部分及び前記第２のシート片の、前記折り畳みラベルの前記他方の面側が、接着剤により前記物品に接着されたものであり、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する、
ことを特徴とする折り畳みラベル付き物品の製造方法。
【請求項２】
折り畳みラベルが付着された物品である折り畳みラベル付き物品の製造方法であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルにおいて、前記３つ以上のシート片のうちの第３のシート片が、 前記２本以上の折り曲げ線のうちの第２の折り曲げ線を介して前記第１のシート片と隣り合って連続し、
前記折り畳みラベルにおいて、前記第１及び第２の折り曲げ線は、前記第１のシート片の互いに反対の側に位置し、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす第３のシート片の一部のみが現れ、
前記折り畳みラベルにおいて、前記第１のシート片に、前記第１のシート片を前記第１の折り曲げ線の側と前記第２の折り曲げ線の側とに分断するための１本又は複数本のミシン目が形成され、
前記折り畳みラベル付き物品は、前記折り畳みラベルの前記はみ出し部分及び前記第２のシート片の、前記折り畳みラベルの前記他方の面側が、接着剤により前記物品に接着されたものであり、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する、
ことを特徴とする折り畳みラベル付き物品の製造方法。
【請求項３】
折り畳みラベルが付着された物品である折り畳みラベル付き物品の製造方法であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れ、
前記折り畳みラベルにおいて、前記はみ出し部分の、当該折り畳みラベルの前記他方の面側に、剥離剤が形成され、
前記折り畳みラベル付き物品は、前記折り畳みラベルの前記はみ出し部分及び前記第２のシート片の、前記折り畳みラベルの前記他方の面側が、接着剤により前記物品に接着されたものであり、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する、
ことを特徴とする折り畳みラベル付き物品の製造方法。
【請求項４】
折り畳みラベルが付着された物品である折り畳みラベル付き物品の製造方法であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルにおいて、前記３つ以上のシート片のうちの第３のシート片が、 前記２本以上の折り曲げ線のうちの第２の折り曲げ線を介して前記第１のシート片と隣り合って連続し、
前記折り畳みラベルにおいて、前記第１及び第２の折り曲げ線は、前記第１のシート片の互いに反対の側に位置し、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす第３のシート片の一部のみが現れ、
前記折り畳みラベルにおいて、前記はみ出し部分の、当該折り畳みラベルの前記他方の面側に、剥離剤が形成され、
前記折り畳みラベル付き物品は、前記折り畳みラベルの前記はみ出し部分及び前記第２のシート片の、前記折り畳みラベルの前記他方の面側が、接着剤により前記物品に接着されたものであり、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する、
ことを特徴とする折り畳みラベル付き物品の製造方法。
【請求項５】
折り畳みラベルが付着された物品であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れ、
前記折り畳みラベルにおいて、前記第１のシート片に、前記第１のシート片を前記はみ出し部分の側と前記第１の折り曲げ線の側とに分断するための１本又は複数本のミシン目が形成され、
前記折り畳みラベルは、前記折り畳みラベルの前記一方の面側を外側にするとともに前記第１の折り曲げ線を巻き付け開始端部として、前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着された、
ことを特徴とする折り畳みラベル付き物品。
【請求項６】
折り畳みラベルが付着された物品であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルにおいて、前記３つ以上のシート片のうちの第３のシート片が、 前記２本以上の折り曲げ線のうちの第２の折り曲げ線を介して前記第１のシート片と隣り合って連続し、
前記折り畳みラベルにおいて、前記第１及び第２の折り曲げ線は、前記第１のシート片の互いに反対の側に位置し、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす第３のシート片の一部のみが現れ、
前記折り畳みラベルにおいて、前記第１のシート片に、前記第１のシート片を前記第１の折り曲げ線の側と前記第２の折り曲げ線の側とに分断するための１本又は複数本のミシン目が形成され、
前記折り畳みラベルは、前記折り畳みラベルの前記一方の面側を外側にするとともに前記第１の折り曲げ線を巻き付け開始端部として、前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着された、
ことを特徴とする折り畳みラベル付き物品。
【請求項７】
折り畳みラベルが付着された物品であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れ、
前記折り畳みラベルにおいて、前記はみ出し部分の、当該折り畳みラベルの前記他方の面側に、剥離剤が形成され、
前記折り畳みラベルは、前記折り畳みラベルの前記一方の面側を外側にするとともに前記第１の折り曲げ線を巻き付け開始端部として、前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着された、
ことを特徴とする折り畳みラベル付き物品。
【請求項８】
折り畳みラベルが付着された物品であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルにおいて、前記３つ以上のシート片のうちの第３のシート片が、 前記２本以上の折り曲げ線のうちの第２の折り曲げ線を介して前記第１のシート片と隣り合って連続し、
前記折り畳みラベルにおいて、前記第１及び第２の折り曲げ線は、前記第１のシート片の互いに反対の側に位置し、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす第３のシート片の一部のみが現れ、
前記折り畳みラベルにおいて、前記はみ出し部分の、当該折り畳みラベルの前記他方の面側に、剥離剤が形成され、
前記折り畳みラベルは、前記折り畳みラベルの前記一方の面側を外側にするとともに前記第１の折り曲げ線を巻き付け開始端部として、前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着された、
ことを特徴とする折り畳みラベル付き物品。
【請求項９】
折り畳みラベルが付着された物品であって、
前記折り畳みラベルは、表裏の所定箇所に表示内容が記載された１枚のシートのみを用い当該シートを折り畳んで構成されかつ当該シートのいずれの箇所同士も接着されることなく構成されたものであり、
前記折り畳みラベルにおいて、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記折り畳みラベルの前記一方の面側には、前記第１のシート片のみが現れ、
前記折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れ、
前記折り畳みラベルにおいて、前記第１のシート片に、前記第１のシート片を前記第１の折り曲げ線の側とその反対側とに分断するための複数本のミシン目が形成され、
前記折り畳みラベルにおいて、前記複数本のミシン目は、前記第１のシート片に、切り取り可能な帯状の切り取り部を形成し、
前記折り畳みラベルにおいて、前記切り取り部は、前記はみ出し部分の一部を含み、
前記折り畳みラベルにおいて、前記はみ出し部分の、当該折り畳みラベルの前記他方の面側に、前記切り取り部の付近において剥離剤が形成され、
前記折り畳みラベルは、前記折り畳みラベルの前記一方の面側を外側にするとともに前記第１の折り曲げ線を巻き付け開始端部として前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の一部が、これに対面する前記第１のシート片の、当該折り畳みラベルの前記一方の面側の一部に接着剤により接着され、
前記折り畳みラベルの前記はみ出し部分の、前記折り畳みラベルの前記他方の面側の他の一部が、これに対面する前記物品に接着剤により接着され、
前記物品は透明又は半透明の容器である、
ことを特徴とする折り畳みラベル付き物品。
【請求項１０】
請求項５乃至９のいずれかに記載の折り畳みラベル付き物品を製造する方法であって、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により所定箇所に接着する、
ことを特徴とする折り畳みラベル付き物品の製造方法。
【手続補正２】
【補正対象書類名】明細書
【補正対象項目名】発明の名称
【補正方法】変更
【補正の内容】
【発明の名称】折り畳みラベル付き物品及びその製造方法